(57)【要約】      （修正有）【課題】ブラシを使用する被研磨物の状態に合わせたタクト（毛束）の配設ができ、毛先にヘタリが来て交換の場合はタクトのみを交換自在としたタクト交換式ブラシを提供する。【解決手段】タクト交換式ブラシは、多数の毛の基端辺を束ねた複数のタクト１と、タクト１の基端辺に設けた夫々の植設部１ａと、植設部１ａを挿通させる複数のタクト挿通孔２と、複数のタクト挿通孔２を穿設したタクト取付板３と、タクト取付板３の裏面を覆う押さえ板４と、を備えたものである。【選択図】図１
0003149434.tif 000002
【実用新案登録請求の範囲】
【請求項１】
多数の毛の基端辺を夫々結束させた複数のタクトと、該夫々のタクトの基端辺に設けた夫々の植設部と、該夫々の植設部を挿通させる複数のタクト挿通孔と、該複数のタクト挿通孔を穿設したタクト取付板と、該タクト取付板の裏面と該裏面周辺を覆う押さえ板と、を備えたことを特徴とするタクト交換式ブラシ。
【請求項２】
前記押さえ板に複数のタクト取付孔を刻設したタクト取付板を備えたことを特徴とする請求項１に記載のタクト交換式ブラシ。
【請求項３】
前記タクト取付板を延設して把持部を備えたことを特徴とする請求項１又は請求項２に記載のタクト交換式ブラシ。
【請求項４】
前記押さえ板を延設して把持部を備えたことを特徴とする請求項１又は請求項２に記載のタクト交換式ブラシ。
【請求項５】
植設前の前記複数のタクトを粘着テープに貼着させたことを特徴とする請求項１〜４のいずれか一項に記載のタクト交換式ブラシ。
【請求項６】
植設前の前記複数のタクトを収容孔を貫設した固定ホルダーに装着させたことを特徴とする請求項１〜４のいずれか一項に記載のタクト交換式ブラシ。
【考案の詳細な説明】
【技術分野】
【０００１】
本考案は、タクト交換式ブラシに関するものであり、更に詳細には、ブラシを使用する被研磨物の状態に合わせたタクト（毛束）の配設ができ、毛先にヘタリが来て交換の場合はタクトのみを交換自在としたタクト交換式ブラシに関するものである。
【背景技術】
【０００２】
従来、この種のブラシはタクト（毛束）のみを交換することはできず、タクト取付板を含むブラシ全体を破棄しなければ成らず、一般的には取付台や把持部は合成樹脂製のものが普及しており、膨大な量が破棄されており、資源の無駄遣いであると共に環境汚染にも繋がっていた。
【０００３】
その為に、先に開示されているものは、単一の毛束が歯ブラシヘッドに取り付けられたワンタフト歯ブラシにおいて、前記毛束と歯ブラシヘッドとを着脱自在に取り付けたもの（特許文献１参照）や、刷毛３６が摩耗したり、毛先が開いたりした場合には刷毛束台３９ごと交換するもの（特許文献２参照）や、ハンドル２０のヘッド部２３に周縁に係止突起２５を有する凹部２４を形成するとともに、この凹部２４に着脱自在に嵌着可能な薄肉板状の植毛基材３１に刷毛４０を植毛して植毛部３０を構成し、この植毛部３０を植毛基材３１が凹部２４に嵌着した状態で使用でき、また、刷毛４０がへたりを生じた場合等には植毛部３０全体を交換して再び使用できるように構成したもの（特許文献３参照）等が開示されている。
【特許文献１】特開２００８−２７２０３８号公報
【特許文献２】特開平０５−１４６３１４号公報〔００２１〕
【特許文献３】特開平０６−３０４０２１号公報
【考案の開示】
【考案が解決しようとする課題】
【０００４】
然し乍ら、前述の開示されている特許文献１−３においては、タクト（毛束）を植設させた植設台毎交換できるもので、若干の資源の無駄遣いは回避されるものの根本的には解消されていないもので、また、タクトを植設台に植設する工程が、費用の多くを費やすために製造コストの低廉化にもさほど繋がらず普及していない要因と成っている実情で、課題は解決しないものである。
【課題を解決するための手段】
【０００５】
本考案は前記課題に鑑み、鋭意研鑽の結果、これらの課題を解決するもので、多数の毛の基端辺を束ねた複数のタクトと、タクトの基端辺に設けたの植設部と、植設部を挿通させる複数のタクト挿通孔と、複数のタクト挿通孔を穿設したタクト取付板と、タクト取付板の裏面を覆う押さえ板と、を備えたものであり、更に、押さえ板に複数のタクト取付孔を刻設したタクト取付板を備えたものであり、更には、タクト取付板を延設して把持部を備えたものであり、更には、押さえ板を延設して把持部を備えたものである。
【考案の効果】
【０００６】
前述の如く構成した本考案のタクト交換式ブラシは、タクトをタクト取付板に使用者が植設できるもので、また、毛先が摩耗したり開いたりした場合には使用者が交換するものであり、破棄する場合はタクトのみの破棄で済み、把持部やタクト取付板は繰り返し使用でき、更には、植設する位置や、植設するタクトの柔軟性や、毛の太さ等も自在に選別できるもので、使用者の状態に合致したブラシを自分で作ることができるもので、画期的で実用性の高い有効な考案である。
【考案を実施するための最良の形態】
【０００７】
以下、本考案のタクト交換式ブラシの実施の形態を図面によって具体的に説明すると、図１は本考案のタクト交換式ブラシの実施例の斜視図であり、図２は本考案のタクト交換式ブラシの実施例の要部断面図であり、図３は本考案のタクト交換式ブラシの次実施例でＡは平面図、Ｂは要部断面図であり、図４は本考案のタクト交換式ブラシの他の実施例の斜視図であり、図５はタクトの収納状態を表す実施例の斜視図であり、図６はタクトの収納状態を表す次実施例の斜視図である。
【０００８】
本考案は、タクト交換式ブラシに関するものであり、更に詳細には、ブラシを使用する被研磨物の状態に合わせたタクト（毛束）の配設ができ、毛先にヘタリが来て交換の場合はタクトのみを交換自在としたタクト交換式ブラシに関するものであり、請求項１に記載のタクト交換式ブラシは、多数の毛の基端辺を束ねた複数のタクト１と、該夫々のタクト１の基端辺に設けた夫々の植設部１ａと、該夫々の植設部１ａを挿通させる複数のタクト挿通孔２と、該複数のタクト挿通孔２を穿設したタクト取付板３と、該タクト取付板３の裏面を覆う押さえ板４と、を備えたことを特徴とするものである。
【０００９】
更に、請求項２に記載のタクト交換式ブラシは、請求項１に記載のタクト交換式ブラシにおいて、前記押さえ板４に複数のタクト取付孔２ｂを刻設したタクト取付板３を備えたことを特徴とするものである。
【００１０】
更には、請求項３に記載のタクト交換式ブラシは、請求項１又は請求項２に記載のタクト交換式ブラシにおいて、前記タクト取付板３を延設して把持部５を備えたことを特徴とするものである。
【００１１】
加えて、請求項４に記載のタクト交換式ブラシは、請求項１又は請求項２に記載のタクト交換式ブラシにおいて、前記押さえ板４を延設して把持部５を備えたことを特徴とするものである。
【００１２】
また、請求項５に記載のタクト交換式ブラシは、請求項１〜４のいずれか一項に記載のタクト交換式ブラシにおいて、植設前の前記複数のタクト１を粘着テープ６に貼着させたことを特徴とするものである。
【００１３】
更に、請求項６に記載のタクト交換式ブラシは、請求項１〜４のいずれか一項に記載のタクト交換式ブラシにおいて、植設前の前記複数のタクト１を収容孔を貫設した固定ホルダー７に装着させたことを特徴とするものである。
【実施例】
【００１４】
即ち、本考案のタクト交換式ブラシは、タクト１の取り付け、取り外しが自在に可能なものであり、歯ブラシに好適に使用でき、口腔や歯の状態に合わせて使用者が自分で植設する数や位置、毛質等を決定して使用でき、また、破棄する場合はタクト１のみを取り外して破棄するものである。
【００１５】
そして、本考案のタクト交換式ブラシの複数のタクト１は、図１〜２に図示するように、多数の毛の基端辺を束ねたもので、束ね方は基端辺を溶着したり、糸で捲着したもので、植設時にばらけないものであれば良く、毛は動植物の天然材料でも、合成樹脂のような化学材料でも良く、その太さ、柔軟性、長さ等も任意なものである。
【００１６】
次に、夫々の植設部１ａは、夫々のタクト１の基端辺に設けたもので、多数の毛の基端辺を結束すると共に、後述するタクト取付板３のタクト挿通孔２に挿通して、裏面側から接着、溶着、又は、挟着、熱収縮、無理嵌め等の手段により取り付けるもので、又、タクト１を束ねた際の溶着部材を再溶解して取り付けても構わないものである。
【００１７】
次いで、複数のタクト挿通孔２は、後述するタクト取付板３に穿設しているもので、夫々のタクト１の基端辺の植設部１ａを挿通させるもので、適宜な間隔を有して穿設しており、図２に図示するように、タクト１を基端からタクト挿通孔２に挿通させて、接着剤による接着、又は、加熱することによる溶着、或いは、図４に図示するように、複数のタクト挿通孔２を接続させたスリットを形成し、弾性力をタクト挿通孔２に付加するようにして挟着させて固定をするものである。
【００１８】
更に、タクト取付板３は、板状のもので、複数のタクト挿通孔２を穿設しているもので、図１〜２に図示する実施例では、タクト取付板３を延設して把持部５を形成しているものである。
【００１９】
更には、押さえ板４は、タクト取付板３の裏面を覆ってタクト１の固定部を隠すと共に、保護カバーを兼ねるものである。
【００２０】
また、図４に図示するように、本考案のタクト交換式ブラシの他の実施例では、押さえ板４に凹部４ａを設けると共に把持部５を延設し、前記凹部４ａにタクト取付板３をスライドさせて嵌入してブラシとしても構わないものである。
【００２１】
加えて、図３に図示する次実施例では、複数のタクト１は前述の実施例と同様であるが、タクト１の植設部１ａを貫通させる複数のタクト貫通孔２ａをタクト貫通板に穿設する共に把持部５を延設し、タクト貫通板の裏面を覆う押さえ板４にタクト取付孔２ｂを刻設したタクト取付板３とを備えたものである。
【００２２】
また、本考案のタクト交換式ブラシは、植設前のタクト１をブラシ本体と別に保管することから、複数のタクト１を粘着テープ６に貼着させて保管するもので、使用時には１本宛取り外して使用したり、植設するタクト１の間隔に合わせた間隔でタクト１を粘着テープ６に貼着させておくと、同時に複数のタクト１を効率良く植設することができるものである。
【００２３】
更に、前述の植設前のタクト１の保管を、複数のタクト１を収容孔を貫設した固定ホルダー７に装着させて保管すると共に、効率良く同時にタクト１を植設するものである。
【産業上の利用可能性】
【００２４】
本考案のタクト交換式ブラシは、タクトをタクト取付板に使用者が植設できるもので、また、毛先が摩耗したり開いたりした場合には使用者が交換できるものであり、破棄する場合はタクトのみの破棄で済み、把持部やタクト取付板は繰り返し使用でき、更には、植設する位置や、植設するタクトの柔軟性や、毛の太さ等も自在に選別できるもので、使用者の状態に合致した自分で作ることができるブラシを提供するものである。
【図面の簡単な説明】
【００２５】
【図１】図１は本考案のタクト交換式ブラシの実施例の斜視図である。
【図２】図２は本考案のタクト交換式ブラシの実施例の要部断面図である。
【図３】図３は本考案のタクト交換式ブラシの次実施例でＡは平面図、Ｂは要部断面図である。
【図４】図４は本考案のタクト交換式ブラシの他の実施例の斜視図である。
【図５】図５はタクトの収納状態を表す実施例の斜視図である。
【図６】図６はタクトの収納状態を表す次実施例の斜視図である。
【符号の説明】
【００２６】
１      タクト
１ａ    植設部
２      タクト挿通孔
２ａ    タクト貫通孔
２ｂ    タクト取付孔
３      タクト取付板
３ａ    タクト貫通板
４      押さえ板
４ａ    凹部
５      把持部
６      粘着テープ
７      固定ホルダー
【図１】
0003149434.tif 000003
【図２】
0003149434.tif 000004
【図３】
0003149434.tif 000005
【図４】
0003149434.tif 000006
【図５】
0003149434.tif 000007
【図６】
0003149434.tif 000008